(57)【要約】  情報配信サービスによる情報源の配信情報を仮想空間に配置して表示する情報表示システムに適用される波紋ユーザインタフェースは、情報配置装置（例えば、波紋サービスを実施する波紋サーバ）と情報表示装置（例えば、波紋アプリを搭載した情報端末）より実現される。情報配置装置は、情報源の配信情報に関連付けて当該情報源の注目度に応じて単調増加する大きさの波紋図形を生成し、仮想空間の基準位置（例えば、画面中央位置）から利用者と情報源との関係の強さに応じて単調減少する距離だけ離れた位置に当該波紋図形の重心を配置する。情報表示装置は、情報源の配信情報に関連付けた波紋図形を含む仮想空間を示す表示情報を画面上に表示する。波紋図形を利用者の記号（例えば、アイコン）に相関する位置に所定の形状、角度、色で表示したり、当該波紋図形を所定の速度で拡大したり、所定の除去時間経過により画面上から消去することもできる。
2014069442.tif 000002
【特許請求の範囲】
【請求項１】
情報配信サービスによる情報源の配信情報を仮想空間に配置する情報配置装置であって、
情報源の配信情報に関連付けて当該情報源の注目度に応じて単調増加する大きさの波紋図形を生成する波紋図形生成部と、
波紋図形を仮想空間に配置するに際して仮想空間の基準位置から利用者と情報源との関係の強さに応じて単調減少する距離だけ離れた位置に当該波紋図形の重心を配置する波紋図形配置部とを具備する情報配置装置。
【請求項２】
仮想空間に情報源を示す記号を配置するに際して利用者と当該情報源との関係に基づいて定められる位置に当該情報源の記号を配置する記号配置部を更に具備し、
前記波紋図形配置部は情報源の配信情報に関連付けられた波紋図形の重心を仮想空間内において当該情報源の記号の位置に配置するようにした請求項１記載の情報配置装置。
【請求項３】
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させる波紋図形拡大部を更に具備する請求項１記載の情報配置装置。
【請求項４】
仮想空間内に配置される波紋図形について、当該波紋図形に関連付けられた情報源の注目度が閾値以上であった時間の長さに対して単調増加する除去時間が経過したときに、当該波紋図形を仮想空間から除去する波紋図形除去部を更に具備した請求項１記載の情報配置装置。
【請求項５】
前記波紋図形生成部は、波紋図形として、利用者と情報源との関係の強さに応じて単調増加する数の頂点を有し、かつ、当該情報源の注目度に応じて単調増加する大きさの円又は球に内接する正多角形又は正多面体を生成するようにした請求項１記載の情報配置装置。
【請求項６】
前記波紋図形配置部は、波紋図形としての正多角形又は正多面体に内接する円又は球に接する１つの点から仮想空間の基準位置までの距離が最小となる角度で当該波紋図形を配置するようにした請求項５記載の情報配置装置。
【請求項７】
前記波紋図形配置部は、波紋図形としての正多角形又は正多面体を乱数に基づいて決定した角度で仮想空間内に配置するようにした請求項５記載の情報配置装置。
【請求項８】
互いに重複する複数の波紋図形について、当該複数の波紋図形の重心と仮想空間の基準位置とを結ぶ直線同士がなす角度が所定角度以上である場合に、当該複数の波紋図形のうち少なくとも１つの波紋図形を仮想空間から除去する波紋図形打消分部を更に具備した請求項５記載の情報配置装置。
【請求項９】
互いに重複する複数の波紋図形について、当該複数の波紋図形の重心と仮想空間の基準位置とを結ぶ直線同士がなす角度が所定角度以下であって、かつ、当該複数の波紋図形に関連付けられた情報源の配信情報が相互に類似する場合に、当該複数の波紋図形を合成して各波紋図形の大きさより大なる大きさを有する合成波紋図形を生成する波紋図形合成部を更に具備した請求項５記載の情報配置装置。
【請求項１０】
前記波紋図形生成部は、情報源の属性に応じた形状の波紋図形を生成するようにした請求項１記載の情報配置装置。
【請求項１１】
前記波紋図形生成部は、情報源の属性に応じた色の波紋図形を生成するようにした請求項１記載の情報配置装置。
【請求項１２】
前記波紋図形生成部は、利用者と情報源との関係の強さに応じた色の波紋図形を生成するようにした請求項１記載の情報配置装置。
【請求項１３】
情報配信サービスによる情報源の配信情報を仮想空間に配置する情報配置方法であって、
情報源の配信情報に関連付けて当該情報源の注目度に応じて単調増加する大きさの波紋図形を生成し、
波紋図形を仮想空間に配置するに際して仮想空間の基準位置から利用者と情報源との関係の強さに応じて単調減少する距離だけ離れた位置に当該波紋図形の重心を配置するようにした情報配置方法。
【請求項１４】
コンピュータにインストールされて情報配信サービスによる情報源の配信情報を仮想空間に配置するプログラムであって、
情報源の配信情報に関連付けて当該情報源の注目度に応じて単調増加する大きさの波紋図形を生成し、
波紋図形を仮想空間に配置するに際して仮想空間の基準位置から利用者と情報源との関係の強さに応じて単調減少する距離だけ離れた位置に当該波紋図形の重心を配置するようにしたプログラム。
【請求項１５】
情報配信サービスによる情報源の配信情報を含む表示情報を表示する情報表示装置であって、
表示情報は情報源の配信情報に関連付けて当該情報源の注目度に応じて単調増加する大きさの波紋図形を含み、仮想空間の基準位置から利用者と情報源との関係の強さに応じて単調減少する距離だけ離れた位置に当該波紋図形の重心を配置して画面上に表示するようにした情報表示装置。
【請求項１６】
表示情報は、利用者と情報源との関係に基づいて定められる位置に配置された当該情報源の記号を含み、当該情報源の配信情報に関連付けられた波紋図形の重心を仮想空間内において当該情報源の記号の位置に配置して画面上に表示するようにした請求項１５記載の情報表示装置。
【請求項１７】
仮想空間の基準位置と重複する波紋図形に関連付けられた情報源の配信情報を画面上に表示するようにした請求項１５記載の情報表示装置。
【請求項１８】
利用者による画面上の座標指定を受け付けて、当該指定座標と重複する波紋図形に関連付けられた情報源の配信情報を表示するようにした請求項１５記載の情報表示装置。
【請求項１９】
情報配信サービスによる情報源の配信情報を含む表示情報を表示する情報表示方法であって、
情報源の配信情報に関連付けて当該情報源の注目度に応じて単調増加する大きさの波紋図形を生成し、
仮想空間の基準位置から利用者と情報源との関係の強さに応じて単調減少する距離だけ離れた位置に当該波紋図形の重心を配置し、
仮想空間に配置された波紋図形を含む表示情報を画面上に表示するようにした情報表示方法。
【請求項２０】
コンピュータにインストールされて情報配信サービスによる情報源の配信情報を含む表示情報を表示するプログラムであって、
情報源の配信情報に関連付けて当該情報源の注目度に応じて単調増加する大きさの波紋図形を生成し、
仮想空間の基準位置から利用者と情報源との関係の強さに応じて単調減少する距離だけ離れた位置に当該波紋図形の受信を配置し、
仮想空間に配置された波紋図形を含む表示情報を画面上に表示するようにしたプログラム。
【請求項２１】
情報配信サービスによる情報源の配信情報を仮想空間に配置して表示する情報表示システムであって、
情報源の配信情報に関連付けて当該情報源の注目度に応じて単調増加する大きさの波紋図形を生成する波紋図形生成部と、
波紋図形を仮想空間に配置するに際して仮想空間の基準位置から利用者と情報源との関係の強さに応じて単調減少する距離だけ離れた位置に当該波紋図形の重心を配置する波紋図形配置部と、
情報源の配信情報に関連付けた波紋図形を含む仮想空間を示す表示情報を画面上に表示する表示部とを具備する情報表示システム。
【請求項２２】
仮想空間に情報源を示す記号を配置するに際して利用者と当該情報源との関係に基づいて定められる位置に当該情報源の記号を配置する記号配置部を更に具備し、
前記波紋図形配置部は情報源の配信情報に関連付けられた波紋図形の重心を仮想空間内において当該情報源の記号の位置に配置するようにした請求項２１記載の情報表示システム。
【請求項２３】
前記表示部は、仮想空間の基準位置と重複する波紋図形に関連付けられた情報源の配信情報を画面上に表示するようにした請求項２１記載の情報表示装置。
【請求項２４】
情報配信サービスによる情報源の配信情報を仮想空間に配置して表示する情報表示方法であって、
情報源の配信情報に関連付けて当該情報源の注目度に応じて単調増加する大きさの波紋図形を生成し、
波紋図形を仮想空間に配置するに際して仮想空間の基準位置から利用者と情報源との関係の強さに応じて単調減少する距離だけ離れた位置に当該波紋図形の重心を配置し、
情報源の配信情報に関連付けた波紋図形を含む仮想空間を示す表示情報を画面上に表示するようにした情報表示方法。
【発明の詳細な説明】
【技術分野】
【０００１】
本発明は、情報端末に配信される各種の情報を表示する情報表示システムに関し、特に、利用者情報とコンテンツとの関連性を示す記号や図形を情報端末に表示するユーザインタフェースに関する。
本願は、２０１２年１０月３１日に日本国に出願された特願２０１２−２４０１４２号に基づき優先権を主張し、その内容をここに援用する。
【背景技術】
【０００２】
従来、コンテンツ及びユーザ情報の関連性について表示制御を行なう技術が開発されている。特許文献１は、複数のコンテンツの盛り上がり度あるいは人気度に応じてマルチ画面の画面構成を変更するコンテンツ表示装置を開示している。特許文献２は、多種多様のコンテンツからキーコンテンツに対する関連性のあるコンテンツを簡単に検索する表示処理方法を開示している。特許文献３は、ユーザ情報間の関連度の分布状況がより良く把握できるようにユーザ情報を表示してユーザ間の情報交換の精度を向上するユーザ間情報交換システムを開示している。特許文献４は、コンテンツへの投票結果を有効にコンテンツ提供者に還元することが可能なコンテンツ表示制御システムを開示している。特許文献５は、視聴者の操作を伴わずに視聴者の好みを認識し、視聴者に対して他の視聴者の評価に応じたコンテンツを薦める評価情報管理装置を開示している。【０００３】
近年の通信技術の発達やネットワーク技術の進展に伴い、ソーシャルネットワーキングサービス（ＳＮＳ）や情報配信サービスは利用者の情報端末（例えば、携帯端末やスマートフォン）に種々の情報源（例えば、共通のＳＮＳに登録している知人、情報配信サービスの配信者）から多量の情報を提供している。このため、利用者の情報端末は過多の情報を受信することとなり、利用者が重要な情報を見落としてしまう虞がある。【０００４】
特許文献１は、複数のコンテンツの盛り上がり度に応じてテレビ受像機の画面上に表示される各コンテンツの大きさを変更する技術を開示している。これにより、利用者は情報端末に表示された複数のコンテンツの中でどのコンテンツの盛り上がり度が高いかを各コンテンツの表示サイズに応じて把握することができる。特許文献２は、情報端末の画面上においてキーコンテンツの配置位置を中心に複数のコンテンツをその関連度の高さの順に同心円状に配置する技術を開示している。これにより、利用者はキーコンテンツと関連度の高いコンテンツを把握することができる。特許文献３は、利用者情報の多次元ベクトル間の内積に基づいて情報端末の画面上において利用者情報を示すアイコンの二次元的配置を決定する技術を開示している。
【先行技術文献】
【特許文献】
【０００５】
【特許文献１】特開２００７−３１１９４２号公報
【特許文献２】特開２０１０−８６５５９号公報
【特許文献３】特開平１１−２９６４６１号公報
【特許文献４】特開２０１０−１９８５５７号公報
【特許文献５】特開２０１２−９９５７号公報
【発明の概要】
【発明が解決しようとする課題】
【０００６】
特許文献１の技術のように複数のコンテンツの盛り上がり度に注目した場合、盛り上がり度が高いコンテンツが必ずしも利用者のニーズに合致しているとは限らず、情報端末の画面上に利用者にとって興味のないコンテンツばかりが表示される虞がある。特許文献２及び特許文献３の技術のように、コンテンツと利用者との関連度に注目した場合、利用者との関連度は低いものの世間一般において注目されている重要な情報が情報端末の画面上に表示されない虞がある。【０００７】
本発明は、上述の課題を解決するためになされたものであり、情報源から収集した配信情報と利用者情報との関連性を動的に示す波紋図形を仮想空間内に配置するようにした情報配信システムの波紋ユーザインタフェースを提供することを目的とする。
【課題を解決するための手段】
【０００８】
本発明の第一の実施形態は、情報配信サービスによる情報源の配信情報を仮想空間に配置する情報配置装置であって、情報源の配信情報に関連付けて当該情報源の注目度に応じて単調増加する大きさの波紋図形を生成する波紋図形生成部と、波紋図形を仮想空間に配置するに際して仮想空間の基準位置から利用者と情報源との関係の強さに応じて単調減少する距離だけ離れた位置に当該波紋図形の重心を配置する波紋図形配置部とを具備する情報配置装置である。【０００９】
本発明の第二の実施形態は、情報配信サービスによる情報源の配信情報を含む表示情報を表示する情報表示装置である。表示情報は情報源の配信情報に関連付けて当該情報源の注目度に応じて単調増加する大きさの波紋図形を含み、当該波紋図形の重心は仮想空間の基準位置から利用者と情報源との関係の強さに応じて単調減少する距離だけ離れた位置に配置される。情報表示装置は、情報源の配信情報及び波紋図形を配置した仮想空間を示す表示情報を画面上に表示する。【００１０】
本発明の第三の実施形態は、情報配信サービスによる情報源の配信情報を仮想空間に配置して表示する情報表示システムであって、情報源の配信情報に関連付けて当該情報源の注目度に応じて単調増加する大きさの波紋図形を生成する波紋図形生成部と、波紋図形を仮想空間に配置するに際して仮想空間の基準位置から利用者と情報源との関係の強さに応じて単調減少する距離だけ離れた位置に当該波紋図形の重心を配置する波紋図形配置部と、情報源の配信情報に関連付けた波紋図形を含む仮想空間を示す表示情報を画面上に表示する表示部とを具備する情報表示システムである。
【発明の効果】
【００１１】
本発明は、情報配信サービスによる情報源の配信情報を仮想空間に配置して表示する情報表示システムに適用される波紋ユーザインタフェースを提供するものである。具体的には、本発明は情報配置装置（例えば、波紋サービスを実施する波紋サーバ）と情報表示装置（例えば、波紋アプリを搭載した情報端末）により実現される。情報配置装置は、情報源の配信情報に関連付けて当該情報源の注目度に応じて単調増加する大きさの波紋図形を生成し、仮想空間の基準位置（例えば、画面中央位置）から利用者と情報源との関係の強さに応じて単調減少する距離だけ離れた位置に当該波紋図形の重心を配置する。情報表示装置は、情報源の配信情報に関連付けた波紋図形を含む仮想空間を示す表示情報を画面上に表示する。これにより、利用者は画面中央位置近辺に表示される波紋図形が示す情報源の配信情報を取得することで、利用者との関連性が高く、かつ、注目度が高い情報源の配信情報の詳細を容易に確認することができる。【００１２】
また、本発明に係る波紋ユーザインタフェースでは波紋図形を利用者の記号（例えば、アイコン）に相関する位置に所定の形状、角度、色で表示したり、当該波紋図形を所定の速度で拡大したり、所定の除去時間経過により画面上から消去することもできる。或いは、互いに重複する複数の波紋図形のうちの１つの波紋図形を画面上から除去したり、互いに重複する複数の波紋図形を合成して１つの大きな波紋図形を合成することもできる。このように、従来の情報配信サービスに比べて利用者の利便性を格段に向上させることができる。
【図面の簡単な説明】
【００１３】
【図１】本発明の実施例１に係る情報表示システムのブロック図である。
【図２】実施例１に係る情報表示システムに含まれる情報配置装置において格納される記号テーブル及び波紋図形テーブルを示す。
【図３】情報配置装置の動作を示すフローチャートである。
【図４】実施例１に係る情報表示システムによる情報源の記号並びに配信情報の配置例を示す。
【図５】実施例１に係る情報表示システムに含まれる情報表示装置の動作を示すフローチャートである。
【図６】情報表示装置の画面上に表示される画像の例を示す。
【図７】利用者記号の座標を指定した場合に情報表示装置の画面上に表示される文字情報の例を示す。
【図８】波紋図形の座標を指定した場合に情報表示装置の画面上に表示される配信情報の例を示す。
【図９】本発明の実施例２に係る情報表示システムによる仮想空間における情報源及び波紋図形の配置例をしめす。
【図１０】本発明の実施例３に係る情報表示システムのブロック図である。
【図１１】本発明に係る情報表示システムの最小構成を示すブロック図である。
【図１２】本発明に係る情報表示システムに含まれる情報配置装置の最小構成を示すブロック図である。
【図１３】本発明に係る情報表示システムに含まれる情報表示装置の最小構成を示すブロック図である。
【発明を実施するための形態】
【００１４】
本発明について実施例とともに添付図面を参照して詳細に説明する。本発明の具体的例として、ＳＧサーバ、ユーザ認証サーバ、波紋サーバ、及び波紋アプリを搭載した情報端末により波紋サービスを提供する波紋システム構造を提案することができる。情報端末で波紋アプリを実行して波紋サーバにログインすると、波紋サーバはユーザ認証サーバによりユーザ認証するとともに、フェースブックなどのソーシャルネットワーキングサービスからＳＮＳ情報を取得して波紋サービスを情報端末に提供する。例えば、配信情報を示すリソースアイコン及びＳＮＳに登録されたマイアイコンが情報端末の画面上に表示され、両者の関連度を示す波紋図形がアニメーション表示される。以下、本発明の実施例について詳細に説明する。
【実施例１】
【００１５】
図１は、本発明の実施例１に係る情報表示システム１のブロック図である。情報表示システム１は、情報配置装置２と情報表示装置３とを具備する。情報配置装置２は、ソーシャルネットワーキングサービス（ＳＮＳ）や情報配信サービスを提供するサーバから配信情報を抽出するとともに、当該配信情報に関連する記号（例えば、アイコン）や図形（例えば、波紋図形）を仮想空間に配置する。情報表示装置３は、利用者が所有する情報端末（例えば、携帯端末）であり、情報配置装置２が記憶する仮想空間に配置された各種の情報を表示する。情報表示装置３は、画面上において情報源を示す記号を利用者との関係の強さに応じた位置に表示するとともに、配信情報を示す図形を情報源の記号の位置に注目度の高さに応じた大きさで表示する。これにより、配信情報は情報源を示す記号を波源とする波紋図形で表現される。配信情報を示す波紋図形を画面上に表示することにより、当該配信情報の重要度を感覚的に利用者に訴えることができる。本実施例において、情報源とはＳＮＳ利用者や配信情報を投稿する利用者、或いは、情報配信サービスにおいて提供される各種の情報（例えば、ニュースやトピック）を意味する。【００１６】
情報配置装置２は、利用者情報受信部２０１、利用者情報記憶部２０２、配信情報収集部２０３、仮想空間記憶部２０４、記号配置部２０５、波紋図形生成部２０６、波紋図形配置部２０７、波紋図形拡大部２０８、波紋図形除去部２０９、表示要求受信部２１０、表示情報送信部２１１を具備する。利用者情報受信部２０１は、ネットワークを介して情報表示装置３から所望のサービスにログインするための利用者情報を受信する。利用者情報記憶部２０２は、利用者情報受信部２０１が受信した利用者情報を記憶する。配信情報収集部２０３は、利用者情報記憶部２０２に記憶された利用者情報に基づいて定期的に利用者が所望のサービスにおいて指定している情報源が配信する情報を収集する。【００１７】
仮想空間記憶部２０４は、情報表示装置３の表示画面のアドレス空間に対応する仮想空間に配置された記号及び波紋図形の位置、大きさ、属性情報を記憶する。記号配置部２０５は、配信情報収集部２０３が収集した配信情報の情報源と利用者との関係の強さに基づいて、当該情報源の記号を仮想空間に配置し、当該記号の属性情報を仮想空間記憶部２０４に記憶する。尚、情報源の記号とは所望のサービスにおいて情報源に関連付けられた画像、アイコン、アバターを意味する。【００１８】
波紋図形生成部２０６は、配信情報収集部２０３が収集した配信情報の注目殿高さに基づいて当該配信情報を示す波紋図形を生成する。波紋図形の形状は配信情報の属性に応じて決定される。本実施例では、情報配信システムからのお知らせに係る配信情報については三角形の波紋図形を生成し、注目度の高さが閾値以上の配信情報については四角形状の波紋図形を生成し、その他の配信情報については円形の波紋形状を生成する。波紋図形配置部２０７は、波紋図形を仮想空間に配置するとともに、当該波紋図形の属性情報を仮想空間記憶部２０４に記憶する。【００１９】
波紋図形拡大部２０８は、配信情報収集部２０３が収集した配信情報の注目度の変化率に基づいて波紋図形生成部２０６により生成された波紋図形の画面上の拡大速度を決定する。波紋図形除去部２０９は、配信情報収集部２０３が収集した配信情報の注目度の持続時間に基づいて波紋図形生成部２０６により生成された波紋図形を仮想空間から除去するまでの時間を決定する。表示要求受信部２１０は、情報表示装置３からの表示情報の送信要求を受信する。表示情報送信部２１１は、表示要求を受信すると、仮想空間記憶部２０４の記憶情報を情報表示装置３へ送信する。【００２０】
情報表示装置３は、利用者情報送信部３０１、表示要求送信部３０２、表示情報受信部３０３、表示部３０４、座標指定部３０５を具備する。利用者情報送信部３０１は、所望のサービスにログインするための利用者情報を情報配置装置２へ送信する。表示要求送信部３０２は、情報配置装置２へ表示要求を送信する。表示情報受信部３０３は、情報配置装置２から仮想空間に配置された記号及び波紋図形に係る表示情報を受信する。【００２１】
表示部３０４は、表示情報受信部３０３が受信した表示情報に基づいて仮想空間に配置された記号及び波紋図形、並びに波紋図形に関連付けられた配信情報を液晶表示器（ＬＣＤ）などの表示装置の画面に表示する。座標指定部３０５は、タッチパネルや方向キーなどのポインティングデバイスに対する利用者の操作に応じて表示部３０４の画面上の座標を指定する。【００２２】
図２は、仮想空間記憶部２０４に記憶される表示情報を例示する。仮想空間記憶部２０４は、記号（例えば、アイコン）の属性情報を格納する記号テーブルと、波紋図形の属性情報を格納する波紋図形テーブルとを具備する。図２（Ａ）に示す記号テーブルは、情報源を特定する情報源ＩＤ、当該情報源を示す記号、及び当該記号の画面上の表示位置を格納する。図２（Ｂ）に示す波紋図形テーブルは、配信情報を特定する情報ＩＤ、配信情報の内容、配信時刻、並びに波紋図形の重心位置、形状、角度、大きさ、色（色彩及び透明度）、拡大速度、及び除去時間を格納する。波紋図形テーブルに格納された配信情報を示す波紋図形の重心は、配信情報の情報源に関連付けて記号テーブルに記憶された記号の位置に相当する。【００２３】
次に、本実施例の情報表示システム１の動作について説明する。情報表示システム１により情報表示装置３に情報を表示させるためには、情報配置装置２に所望のサービスにログインするための利用者情報を通知する必要がある。先ず、利用者は情報表示装置３を操作して利用者情報を入力する。情報表示装置３が利用者情報を受け付けると、利用者情報送信部３０１は当該利用者情報を情報配置装置２へ送信する。このとき、利用者と情報源との関係の強さを正確に算出するために、情報表示装置３に記録されている電話帳情報や電子メール情報を併せて情報配置装置２へ送信することが好ましい。次に、情報配置装置２の利用者情報受信部２０１は、情報表示装置３から利用者情報を受信すると、当該利用者情報を利用者情報記憶部２０２に記憶する。これにより、情報配置装置２の配信情報収集部２０３は利用者情報に基づいて配信情報を収集することができる。【００２４】
次に、情報配置装置２が仮想空間に配信情報を配置する手順について説明する。図３は、本実施例に係る情報配置装置２の動作を示すフローチャートである。情報配置装置２の配信情報収集部２０３は、定期的に利用者情報記憶部２０２が記憶する利用者情報を用いてサービス提供サーバにアクセスして利用者が指定している情報源の情報及び配信情報を抽出する（ステップＳ１）。配信情報収集部２０３は情報源の情報として情報源ＩＤ、アイコン、属性、及び利用者が情報源に対して行なったアクションの数を取得する。アクションの例としては、肯定的意思表示の回数（例えば、「いいね！」ボタンの操作回数）、情報源を閲覧した回数、ブックマークの数、配信情報の転載投稿数を挙げることができる。配信情報収集部２０３は、配信情報に関連付けて配信サービスを特定するサービスＩＤ、情報源ＩＤ、配信時刻、及び配信時刻に対して行なわれたアクションの数を取得する。【００２５】
次に、記号配置部２０５は仮想空間の基準位置（例えば、原点）に利用者を示す記号を配置する（ステップＳ２）。記号配置部２０５は、利用者を示す記号として、利用者がＳＮＳサービスにおいて利用している画像、アイコン、アバターなどの図柄を用いる。つまり、記号は一部２０５は、記号として用いる図柄と基準位置の座標とを関連付けて利用者記号として仮想空間記憶部２０４に記録する。【００２６】
次に、記号配置部２０５は配信情報収集部２０３が収集した情報源の情報に基づいて利用者と情報源との関係の強さを算出する（ステップＳ３）。ここで、利用者と情報源との関係の強さの算出方法について説明する。まず、記号配置部２０５は利用者が情報源の配信情報に対して行なったアクション毎に、当該アクションに応じて定められる係数及び当該アクションを起こしたサービスに応じて定められる係数に、当該アクションを起こした数を乗算し、その乗算結果の総和を関係の強さとして算出する。【００２７】
アクションに応じて定められる係数の例としては、肯定的意思表示の係数「３」、回覧回数の係数「１」、ブックマークの係数「１０」、転載投稿数の係数「１」、一方的なコメントの投稿数の係数「１」、双方的なコメントの投稿数「１０」を設定することができる。また、サービスに応じて定められる係数の例としては、ＳＮＳの係数「０．８」、情報配信サービスの係数「０．５」を設定することができる。【００２８】
また、利用者が電話帳情報や電子メール情報を情報配置装置２に送信した場合、それらの情報も加味して関係の強さを算出することが好ましい。例えば、利用者が情報源の連絡先を電話帳に登録している場合、または情報源が利用者の連絡先を電話帳に登録している場合には、両者の関係の強さを示す値に「１」点を加算する。利用者と情報源が相互に連絡先を電話帳に登録している場合には、両者の関係の強さを示す値に「１０」点を加算する。また、利用者と情報源との間の電子メールの送受信数に応じて更に点数を両者の関係の強さを示す値に加算するようにしてもよい。この場合、利用者又は情報源が一方的に電子メールを送信した場合には両者の関係の強さを示す値に「１」点を加算し、利用者と情報源とが双方向的に電子メールを送受信している場合には両者の関係の強さを示す値に「１０」点を加算するようにしてもよい。つまり、利用者と情報源との間に双方向コミュニケーションが成立している場合には、両者の関係を示す値が高くなるように係数を設定しておくことが好ましい。【００２９】
記号配置部２０５は、利用者と情報源との関係の強さを算出すると、両者の関係の強さに基づいて仮想空間における情報源の記号の配置位置を決定する（ステップＳ４）。具体的には、記号配置部２０５は情報源の記号と仮想空間の基準位置との距離を算出する。この距離は、利用者と情報源との関係の強さの逆数に比例させるなどのように関係の強さに対して単調減少となるように決定する。次に、仮想空間のうち、基準位置から算出した距離だけ離れた範囲の中から１点を乱数に基づいて決定し、当該点の位置を情報源の記号の配置位置として決定する。【００３０】
記号配置部２０５は、配信情報収集部２０３が収集した情報源の記号（例えば、アイコン）と、当該情報源に決定された配置位置とを関連付けて当該情報源の記号を仮想空間記憶部２０４の記号テーブルに記録する。本実施例では、仮想空間の基準位置から算出した距離だけ離れた範囲の中から１点を乱数に基づいて決定することで情報源の配置位置を決定するようにしたが、これに限定されるものではない。例えば、情報源の属性（即ち、情報源が人であるか物であるかの属性、情報源の配信情報がビジネス又は趣味に関連するかを示す属性）に応じて仮想空間における情報源の配置方向を決定するようにしてもよい。この場合、情報源の記号を親密度や興味の強弱によりグルーピングしてもよい。【００３１】
次に、波紋図形配置部２０７は配信情報収集部２０３が収集した配信情報の情報源を示す情報源ＩＤに関連付けて仮想空間記憶部２０４の記号テーブルに記録されている配置位置を読み出し、当該配置位置を情報源の配信情報を示す波紋図形の重心位置に決定する（ステップＳ５）。波紋図形配置部２０７は、波紋図形を画面上に表示する際の角度を乱数に基づいて決定する。波紋図形配置部２０７は、情報源の配信情報を特定する情報ＩＤ、当該配信情報の内容、配信時刻、配置位置及び角度を関連付けて仮想空間記憶部２０４の波紋図形テーブルに記録する。【００３２】
次に、波紋図形生成部２０６は配信情報収集部２０３が収集した配信情報の注目度を算出する（ステップＳ６）。ここで、情報源の配信情報の注目度について説明する。波紋図形生成部２０６は、情報源の配信情報に対して行なわれたアクション毎に、当該アクションに応じて定められる係数及び当該アクションを起こしたサービスに応じて定められる係数に、当該アクションを起こした数を乗算し、その乗算結果の総和を注目度を示す値として算出する。【００３３】
アクションに応じて定められる係数の例としては、肯定的意思表示の係数「３」、閲覧回数の係数「１」、ブックマーク数の係数「１０」、転載投稿数の係数「１」、コメントの投稿数の係数「５」を設定することができる。また、サービスに応じて定められる係数の例としては、ＳＮＳの係数「０．８」、情報配信サービスの係数「０．５」を設定することができる。【００３４】
次に、波紋図形生成部２０６は配信情報の注目度に基づいて仮想空間における配信情報を示す波紋図形の大きさを決定する（ステップＳ７）。具体的には、波紋図形生成部２０６は配信情報の注目度に正の係数を乗算するなどのように利用者と情報源との関係の強さに比例して単調増加するように波紋図形の大きさを決定する。例えば、波紋図形が多角形である場合、注目度の値の１点当たり当該波紋図形の外接円の半径を０．１ｃｍに設定する。【００３５】
次に、波紋図形生成部２０６は配信情報の属性及び注目度に基づいて波紋図形の形状を決定する（ステップＳ８）。具体的には、波紋図形生成部２０６は配信情報がシステムからのお知らせである場合には三角形の波紋図形を生成し、配信情報の注目度が閾値以上の場合には四角形の波紋図形を生成する。それ以外の場合には、波紋図形生成部２０６は円形の波紋図形を生成する。【００３６】
次に、波紋図形生成部２０６は配信情報の属性及び情報源の属性に基づいて波紋図形の色彩（即ち、ＲＧＢ値：Ｒｅｄ  Ｇｒｅｅｎ  Ｂｌｕｅ）を決定する（ステップＳ９）。具体的には、波紋図形生成部２０６は配信情報を形態素解析し、予め記憶している単語と属性とを関連付けた辞書と、形態素解析により得られた単語とを比較することで、配信情報の属性を特定する。波紋図形生成部２０６は、配信情報がビジネス属性を有する場合には青色の波紋図形を生成し、配信情報の情報源が趣味属性を有する場合には緑色の波紋図形を生成する。また、配信情報の情報源と利用者との関係の強さが閾値より高い場合には、波紋図形生成部２０６はピンク色の波紋図形を生成する。【００３７】
次に、波紋図形生成部２０６は情報源と利用者との関係の強さに基づいて波紋図形の透明度を決定する（ステップＳ１０）。波紋図形生成部２０６は、情報源と利用者との関係の強さに対して透明度を単調減少させる。つまり、波紋図形生成部２０６は情報源と利用者との関係が強いほど波紋図形を不透明とする。また、波紋図形生成部２０６は仮想空間記憶部２０４の波紋図形テーブルが記憶する配信情報を示す情報ＩＤに関連付けられた波紋図形の形状、大きさ、及び色を上記ステップＳ７〜Ｓ１０で決定した波紋図形の形状、大きさ、及び色に書き換える。【００３８】
次に、波紋図形拡大部２０８は配信情報収集部２０３が収集した配信情報の注目度の変化率に基づいて波紋図形生成部２０６が生成した波紋図形の拡大速度を決定する（ステップＳ１１）。具体的には、波紋図形拡大部２０８は配信情報収集部２０３から配信情報に対して行なわれたアクションのうち、直近の１時間に発生したアクションの数を取得する。波紋図形拡大部２０８は、アクションの数に基づいて注目度を算出する。つまり、波紋図形拡大部２０８は直近の１時間（単位時間）当たりの注目度の増加分（変化率）を算出する。そして、波紋図形拡大部２０８は配信情報の注目度の増加分に基づいて波紋図形の拡大速度を決定する。具体的には、波紋図形拡大部２０８は配信情報の注目度の増加分に対して波紋図形の大きさを単調増加するように拡大速度を決定する。例えば、波紋図形拡大部２０８は配信情報の増加分「１点」当たり波紋図形の拡大速度を０．１ｃｍ／秒とする。その後、波紋図形拡大部２０８は仮想空間記憶部２０４の波紋図形テーブルが記憶する配信情報を示す情報ＩＤに関連付けられた拡大速度をステップＳ１１で決定した拡大速度に書き換える。【００３９】
次に、波紋図形除去部２０９は配信情報収集部２０３が収集した配信情報の注目度の持続時間に基づいて波紋図形生成部２０６が生成した波紋図形を仮想空間から除去するまでの時間を決定する（ステップＳ１２）。具体的には、波紋図形除去部２０９は配信情報に対して行なわれたアクションのうち、配信時刻から１時間毎のアクションの数を配信情報収集部２０３から取得する。そして、波紋図形除去部２０９は配信情報に対して行なわれたアクションの数に基づいて１時間毎の注目度を算出し、注目度が継続して閾値以上となっていた時間を算出する。これにより、波紋図形除去部２０９は配信情報の注目度の持続時間に対して単調増加となるように波紋図形の除去時間を決定する。例えば、波紋図形除去部２０９は配信情報の注目度の持続時間として１時間当たりの除去時間を１秒とする。その後、波紋図形除去部２０９は仮想空間記憶部２０４の波紋図形テーブルが記憶する配信情報を示す情報ＩＤに関連付けられた除去時間をステップＳ１２で決定した除去時間に書き換える。【００４０】
上述の手順により、仮想空間記憶部２０４の記号テーブル及び波紋図形テーブルには情報源を示す記号及び配信情報を示す波紋図形の仮想空間における態様が記録される。つまり、上述の手順により情報配置装置２は情報源の記号及び配信情報の波紋図形を仮想空間に配置する。【００４１】
図４は、実施例１に係る情報表示システム１による情報源の記号（即ち、アイコン）と配信情報の波紋図形の仮想空間内の配置例を示す。図４に示すように、仮想空間の基準位置に利用者を示す記号ｓｒｃ１が配置され、当該基準位置から利用者との関係の強さに応じた距離の位置に複数の情報源を示す記号ｓｒｃ２〜ｓｒｃ６が配置される。また、情報源の配信情報を示す波紋図形ｉｎｆｏｒ１〜ｉｎｆｏ１０は情報源の記号ｓｃｒ１〜ｓｃｒ６の配置位置に重心を有し、当該配信情報の注目度に応じた大きさで仮想空間に配置される。【００４２】
これにより、情報源と利用者との関係が強く、かつ、注目度が高い配信情報を示す波紋図形は利用者の記号と部分的に重複することとなる。具体的には、情報源と利用者との関係が弱く、かつ、注目度が高い配信情報の波紋図形の重心は利用者の記号と遠い位置に配置されるが、その半径が大きいために当該波紋図形は利用者の記号と部分的に重複することとなる。また、情報源と利用者との関係が強く、かつ、注目度が低い配信情報の波紋図形は半径が小さくなるが、その重心は利用者の記号と近い位置に配置されるため、当該波紋図形は利用者の記号と部分的に重複することとなる。【００４３】
次に、実施例１に係る情報表示装置３が仮想空間に配置された情報源の記号並びに配信情報を画面上に表示する手順について説明する。図５は、情報表示装置３の動作を示すフローチャートである。利用者の操作により情報表示装置３が情報表示処理を起動すると、表示要求送信部３０２は表示情報の送信を要求する表示要求を情報配置装置２へ送信する（ステップＳ１３）。表示要求には、画面上に表示される配信情報の投稿時刻からの経過時間の制限を示す期間情報が含まれる。例えば、期間情報が２４時間を示す場合、情報配置装置２は複数の配信情報のうち現在時刻から２４時間以内に情報配信システム（又は、情報配信サービス）に投稿された配信情報のみを選択して情報表示装置３へ送信する。【００４４】
情報配置装置２の表示要求受信部２１０が情報表示装置３から表示要求を受信すると、表示情報送信部２１１は仮想空間記憶部２０４が記憶する記号テーブル及び波紋図形テーブルのうち、現在時刻より表示要求に含まれる期間情報が示す時間前の時刻以降の配信時刻を有する情報源及び配信情報を情報表示装置３へ送信する。このとき、上記の条件に合致する配信情報の数が閾値（例えば、１００件）を超える場合には、表示情報送信部２１１は条件に合致する配信情報のうち注目度が上位にランクされる配信情報を閾値の数だけ抽出して情報表示装置３へ送信する。【００４５】
情報表示装置３の表示情報受信部３０３が表示情報を情報配置装置２より受信すると（ステップＳ１４）、表示部３０４は画面中央の座標を基準位置として利用者の記号及び情報源の記号を示す記号オブジェクトを画面上に表示する（ステップＳ１５）。【００４６】
次に、表示部３０４は表示情報受信部３０３が受信した表示情報のうち画面上に表示していない最も古い配信時刻の配信情報に係る波紋図形を特定する（ステップＳ１６）。表示部３０４は、表示情報受信部３０３が受信した表示情報に従って、ステップＳ１６で特定した配信情報の波紋図形を示す図形オブジェクトを画面上に表示する（ステップＳ１７）。このとき、表示部３０４はステップＳ１６で特定した配信情報の波紋図形を示す図形オブジェクトを記号オブジェクトより下層レイヤであって、既に画面上に表示されている他の図形オブジェクトより上層レイヤに配置する。【００４７】
表示部３０４は、画面上の図形オブジェクトを初期サイズ（例えば、半径ゼロ）から表示情報受信部３０３が受信した表示情報に含まれる波紋図形の拡大速度で拡大する。そして、表示部３０４は画面上の図形オブジェクトの大きさが表示情報に含まれる波紋図形の大きさに一致すると、当該図形オブジェクトを初期サイズに戻し、再度拡大速度で拡大するような拡大縮小処理を繰返し実行する。これにより、情報表示装置３は波紋図形の拡大速度（即ち波紋が広がる速度）により画面上で配信情報の伝播速度を表現することができる。その後、表示部３０４は図形オブジェクトが画面上に配置された時刻から表示情報に含まれる除去時間が経過したときに、当該図形オブジェクトを画面上から除去する。これにより、情報表示装置３は画面上の波紋図形の継続表示時間により配信情報の流行継続時間を表現することができる。【００４８】
次に、表示部３０４は表示情報受信部３０３が受信した表示情報に含まれる配信情報の波紋図形のうち、画面上に表示していない波紋図形が残存しているか否か判定する（ステップＳ１８）。表示部３０４は、画面上に表示されていない波紋図形が残っていると判定した場合（即ち、ステップＳ１８の判定結果「ＹＥＳ」）、フローはステップＳ１６に戻り、残存している波紋図形に係る図形オブジェクトを画面上に表示する。表示部３０４が表示情報に含まれる全ての波紋図形に係る図形オブジェクトを画面上に表示したと判定した場合（即ち、ステップＳ１８の判定結果「ＮＯ」）、情報表示装置３は仮想空間に割り当てられた情報源の記号及び配信情報の波紋図形の表示処理を終了する。【００４９】
図６は、情報表示装置３の画面上に表示される画像の例を示す。上述の手順により仮想空間に割り当てられた表示情報の表示処理を終了すると、情報表示装置３の画面上には図６に示すような画像が表示される。表示部３０４は、表示情報の表示領域に加えて再生ボタン、更新ボタン、期間変更スライダーを具備する。再生ボタンは、表示部３０４に図５のステップＳ１５〜Ｓ１８を再度実行させるために設けられている。更新ボタンは、表示部３０４に図５のステップＳ１３〜Ｓ１８を再度実行させるために設けられたものであり、更新ボタンが操作されると情報表示装置３は情報配信装置２から表示情報を取得しなおす。期間変更スライダーは、表示部３０４が画面上に表示する配信情報の投稿時間からの経過時間を変更するために設けられている。【００５０】
情報表示装置３は、仮想空間に割り付けられた表示情報の表示処理を完了すると、座標指定部３０５により指定された座標を受け付ける。座標指定部３０５は、座標の指定を受け付けると、当該座標が利用者の記号の配置位置を示すか否かを判定する。図７は、利用者の記号の配置位置に相当する座標が指定された場合に表示部３０４の画面上に表示する画像の例を示す。座標指定部３０５が受け付けた座標が利用者の記号の配置位置に相当する場合、表示部３０４は図７に示すように仮想空間の基準位置（即ち、画面中央の座標）において重複して表示されている波紋図形に関連付けられた配信情報を全て画面上に表示する。図７では、配信情報ｉｎｆｏ１、ｉｎｆｏｒ２、ｉｎｆｏ６、ｉｎｆｏ１０の詳細が画面上に表示される。これにより、情報表示装置３は利用者との関係が強く、かつ、注目度の高い情報源の配信情報を画面上に表示することができる。【００５１】
また、座標指定部３０５は指定された座標が利用者の記号の配置位置に相当しない場合、当該指定座標が情報源の記号の配置位置に相当するか否かを判定する。座標指定部３０５が受け付けた座標が情報源の記号の配置位置に相当する場合、表示部３０４は当該情報源に対するメッセージの送信フォームを表示し、利用者によるメッセージの入力を受け付ける。一方、座標指定部３０５は指定座標が利用者の記号の配置位置及び情報源の記号の配置位置に相当しない場合、当該指定座標が更新ボタンの座標、再生ボタンの座標、又は期間変更スライダーの座標のいずれかに相当するか否かを判定する。座標指定部３０５が受け付けた座標が再生ボタンの座標に一致する場合、情報表示装置３は図５のステップＳ１５〜Ｓ１８を再度実行する。これにより、情報表示装置３は画面上に表示された画像をリセットすることができる。座標指定部３０５が受け付けた座標が更新ボタンの座標と一致する場合、情報表示装置３は図５のステップＳ１３〜Ｓ１８を再度実行する。これにより、情報表示装置３は情報配置装置２から最新の配信情報を取得して画面上に表示する。座標指定部３０５が受け付けた座標が期間変更スライダーの座標に一致する場合、情報表示装置３は表示要求に含める期間情報を期間変更スライダーが示す期間に変更して図５のステップＳ１３〜ステップＳ１８を再度実行する。これにより、情報表示装置３は画面上に表示する配信情報の有効期間を変更する。【００５２】
図８は、波紋図形の配置位置に相当する座標が指定された場合に画面上に表示する画像の例を示す。座標指定部３０５により指定座標が情報源の記号の配置位置、再生ボタン、更新ボタン、期間変更スライダーの座標に一致しないと判定した場合、表示部３０４は図７に示すように指定座標に重複して表示されている波紋図形が示す配信情報の詳細を全て画面上に表示する。これにより、情報表示装置３は利用者が指定した波紋図形の配信情報、即ち、利用者が興味を持った配信情報の詳細を画面上に提示することができる。尚、配信情報の詳細は指定座標に向けた突出部分を有する吹き出し内に記述され、当該吹き出しは波紋図形に重複して表示される。このとき、表示部３０４は画面上において最上位レイヤに表示された吹き出しに記述された配信情報を示す波紋図形を強調表示する。利用者は、情報表示装置３の画面上の吹き出しの表示領域を指定することで、次の配信情報を表示させることができる。【００５３】
情報表示装置３に実装されるポインティングデバイスがマルチタッチ検出を可能とするタッチパネルである場合、座標指定部３０５がピンチイン・ピンチアウトの操作を検出すると、表示部３０４はピンチイン・ピンチアウトの操作に応じて画面に表示する仮想空間に割り付けられた表示画面の拡大率を変更する。【００５４】
上記のように、本実施例では利用者と情報源との関係が強く、かつ、注目度が高い配信情報を示す波紋図形は仮想空間の基準位置（即ち、画面中央の座標）と重複して画面上に表示されることとなる。これにより、利用者は画面上の基準位置の近くに表示されている波紋図形に関連付けられた配信情報を取得することで、利用者と関連度が高い配信情報や注目度が高い配信情報を認識することができる。【００５５】
本実施例では、情報表示装置３の表示部３０４が波紋図形を画面上に表示する順序及び波紋図形を配置するレイヤの順序を配信情報の配信時刻の順序に従って決定したが、これに限定されるものではない。例えば、波紋図形の表示順序及び配置レイヤの順序を利用者と情報源との関係の強さに従って決定するようにしてもよい。或いは、波紋図形の表示順序及び配置レイヤの順序を乱数に基づいて決定するようにしてもよい。また、本実施例では情報源や波紋図形を配置する仮想空間を表示部３０４の２次元画面に合致させるものとしたが、これに限定されるものではない。例えば、情報源や波紋図形を３次元的に表示すべく仮想空間を３次元的表現とするようにしてもよい。この場合、仮想空間に配置される波紋図形を円形や多角形ではなく、球形状や多面体形状とすることができる。【００５６】
本実施例では、波紋図形除去部２０９が波紋図形を除去するまでの時間を決定するものとしたが、これに限定されるものではない。例えば、波紋図形の除去時間を一義的に決定せず、表示部３０４が波紋図形の表示時間に拘らず当該波紋図形を画面上から除去せずに表示し続けるようにしてもよい。或いは、波紋図形の除去時間を決定せず、拡大速度に従って拡大した波紋図形の大きさが波紋図形生成部２０６によって決定された波紋図形の大きさに達したときに当該波紋図形を除去するようにしてもよい。【００５７】
本実施例では、座標指定部３０５が画面上に表示された波紋図形の座標の指定を受け付けた場合に、表示部３０４が指定座標に重複配置された波紋図形が示す配信情報の全てを表示するものとしたが、これに限定されるものではない。例えば、座標指定部３０５が波紋図形の座標の指定を受け付けた場合、表示部３０４は指定座標に重複配置された波紋図形のうち、最上位レイヤに配置された波紋図形が示す配信情報のみを画面上に表示するようにしてもよい。
【実施例２】
【００５８】
次に、本発明の実施例２について説明する。実施例２は実施例１に係る情報表示システム１と同様の構成を備える。実施例１では配信情報を示す波紋図形の形状を当該配信情報の属性に応じて決定するものとしたが、実施例２では配信情報を示す波紋図形の形状を当該配信情報の情報源と利用者との関係の強さに応じて決定する。【００５９】
次に、実施例２における波紋図形の生成手順及び配置手順について説明する。まず、波紋図形生成部２０６は配信情報収集部２０３が収集した配信情報の情報源と利用者との関係の強さを算出する。そして、波紋図形生成部２０６は利用者と情報源との関係の強さに基づいて仮想空間に配置される波紋図形の形状を決定する。具体的には、波紋図形生成部２０６は波紋図形の形状を利用者と情報源との関係の強さに対して角数が単調増加するような正多角形に決定する。これにより、利用者と情報源との関係が強いほど当該情報源の配信情報を示す波紋図形の形状は円形に近似することとなる。尚、波紋図形の大きさ及び色については実施例２では実施例１と同様の手順で波紋図形生成部２０６が算出する。これにより、波紋図形生成部２０６が生成する波紋図形は利用者と情報源との関係の強さに対して単調増加する頂点の数を有し、かつ、配信情報の注目度に対して単調増加する大きさの円に内接する正多角形となる。【００６０】
波紋図形配置部２０７は、波紋図形生成部２０６が生成した波紋図形の角度を当該波紋図形に内接する円に接する１つの点から仮想空間の基準位置（例えば、画面中央の位置）までの距離を最小とする角度に決定する。波紋図形に内接する円に接する点とは、正多角形の１つの辺の中点に相当する。同一の半径を有する円に内接する正多角形の重心から１つの辺の中点までの距離は正多角形の角数が多いほど長くなる。従って、利用者と情報源との関係が強いほど、波紋図形が仮想空間の基準位置と重複する可能性が高くなる。【００６１】
図９は、本発明の実施例２に係る情報表示システム１による仮想空間における情報源及び波紋図形の配置例を示す。情報表示装置３は、図９に示す画像を図８に示す画面上に表示する。実施例２によれば、利用者と関係が強い情報源の配信情報を示す波紋図形は仮想空間の基準位置と重複する可能性が高くなる。実施例２の画面構成により、利用者は仮想空間の基準位置の近辺に配置される波紋図形が示す配信情報を取得することができるため、実施例１の画面構成に比べて、利用者との関連度がより高い配信情報を認識することができる【００６２】
実施例２では、波紋図形配置部２０７は波紋図形生成部２０６が生成した波紋図形の角度を当該波紋図形に内接する円に接する１つの点から仮想空間の基準位置までの距離を最小とする角度に決定したが、これに限定されるものではない。例えば、波紋図形配置部２０７は波紋図形の角度を乱数に基づいて決定するようにしてもよい。波紋図形の角度をランダムに決定した場合、利用者との関連性が低い情報源の配信情報を示す波紋図形が仮想空間の基準位置に重複する可能性がある。また、利用者との関連性が低い情報源を示し、かつ、仮想空間の基準位置と重複する波紋図形の配信情報は注目度が高い可能性がある。従って、波紋図形配置部２０７が乱数に基づいて波紋図形の角度を決定することで、利用者との関連性が低いが注目度が高い情報源の配信情報をランダムに利用者に提示することができる。【００６３】
実施例２では情報源や波紋図形を配置する仮想空間を表示部３０４の２次元画面に合致させるものとしたが、これに限定されるものではない。例えば、情報源や波紋図形を３次元的に表示すべく仮想空間を３次元的表現とするようにしてもよい。この場合、波紋図形生成部２０６が生成する波紋図形は利用者と情報源との関係の強さに対して単調増加する数の頂点を有し、かつ、配信情報の注目度に対して単調増加する大きさの球に内接する正多面体となる。また、波紋図形配置部２０７は波紋図形の角度を当該波紋図形に内接する球に接する１つの点から仮想空間の基準位置までの距離を最小とする角度に決定する。ここで、波紋図形に内接する球に接する１つの点とは正多面体の１つの面の重心に相当する。
【実施例３】
【００６４】
図１０は、本発明の実施例３に係る情報表示システム１の構成を示すブロック図である。実施例３に係る情報表示システム１は、実施例１と同様に、情報配置装置２と情報表示装置３とを具備するが、情報配置装置２は波紋図形打消部２１２及び波紋図形合成部２１３を更に具備している。【００６５】
波紋図形打消部２１２は、仮想空間において互いに重複する複数の波紋図形について、当該波紋図形の重心と仮想空間の基準位置とを結ぶ直線同士がなす角度が所定角度（例えば、１６０度）以上である場合、互いに重複する波紋図形の一方に関連付けて仮想空間記憶部２０４の波紋図形テーブルに打消フラグを有効設定する。打消フラグが有効となっている波紋図形については、情報表示装置３の表示部３０４が画面上に表示する波紋図形の数が所定数を超えた場合に画面上から除去される。これにより、情報表示装置３は画面上において情報源から広がる波紋が衝突して打ち消しあう様子を表現することができる。尚、波紋図形打消部２１２は画面上において重複する２つの波紋図形のうち、注目度が低い情報源の配信情報を示す波紋図形に対して打消フラグを有効設定してもよい。或いは、波紋図面打消部２１２は画面上において重複する２つの波紋図形のうち、利用者との関係が弱い情報源の配信情報を示す波紋図形、又は配信時刻が早い配信情報を示す波紋図形に対して打消フラグを有効設定してもよい。【００６６】
波紋図形合成部２１３は、画面上において互いに重複する複数の波紋図形について、波紋図形の重心と仮想空間の基準位置とを結ぶ直線同士がなす角度が所定角度（例えば、２０度）以下であって、かつ、当該波紋図形に係る配信情報が類似する場合に、重複する波紋図形のそれぞれに関連付けて仮想空間記憶部２０４の波紋図形テーブルに合成フラグを有効設定する。また、波紋図形合成部２１３は合成フラグを有効設定した複数の波紋図形の重心の位置を焦点とする楕円形を有し、複数の波紋図形の何れよりも大きい波紋図形を生成する。合成フラグが有効設定されている複数の波紋図形は全てが画面上に表示された後に除去され、その後に、上記の楕円形状の波紋図形を画面上に表示する。これにより、情報表示装置３は複数の波紋図形が画面上で合成される様子を表現することができる。上述の例では、複数の波紋図形を楕円形状の波紋図形に合成するものとしたが、これに限定されるものではない。例えば、合成波紋図形を直方体、菱形、その他の形状としてもよい。【００６７】
上述のように、本発明について上述の実施例とともに添付図面を参照して説明したが、具体的な構成や処理は上述の実施例に限定されるものではなく、添付した特許請求の範囲に定義される発明の範囲内における設計変更をも包含するものである。例えば、上述の実施例では情報配置装置２が利用者情報の記録、配信情報の収集、仮想空間の管理に係る処理を行なうものとしたが、これに限定されるものではない。これらの処理を複数の装置に分散して実行するようにしてもよい。また、上述の実施例では情報配置装置２が仮想空間の管理処理を行い、情報表示装置３が仮想空間の表示処理を実行するものとしたが、これに限定されるものではない。例えば、情報表示装置３が仮想空間の管理処理及び表示処理を実行するようにしてもよい。【００６８】
次に、本発明に係る情報表示システム１の最小構成について説明する。図１１は、本発明に係る情報表示システム１の最小構成を示すブロック図である。上述の実施例では、情報表示システム１の詳細な構成について図１及び図１０を参照して説明したが、本発明に係る情報表示システム１の最小構成は図１１に示す通りである。つまり、本発明に係る情報表示システム１は波紋図形生成部２０６、波紋図形配置部２０７、及び表示部３０４を最小限具備すればよい。【００６９】
波紋図形生成部２０６は、情報源の配信情報に関連付けて、当該情報源の注目度に対して単調増加する大きさの波紋図形を生成する。波紋図形配置部２０７は、波紋図形の重心を仮想空間の基準位置から利用者と情報源との関係の強さに対して単調減少する距離だけ離れた位置に配置する。表示部３０４は、仮想空間において波紋図形配置部２０７が配置した波紋図形を画面上に表示する。これにより、情報表示システム１は利用者との関連度が高く、かつ、注目度の高い情報源の配信情報を示す波紋図形を仮想空間の基準位置の近辺に配置して画面上に表示することができる。【００７０】
図１２は、本発明の情報表示システム１に含まれる情報配置装置２の最小構成を示すブロック図である。上述の実施例では情報配置装置２の詳細構成について図１及び図１０を参照して説明したが、情報配置装置２の最小構成は図１２に示す通りである。つまり、情報配置装置２は波紋図形生成部２０６及び波紋図形配置部２０７を最小限具備していればよい。これにより、情報配置装置２は利用者との関連度が高く、かつ、注目度が高い情報源の配信情報を仮想空間の基準位置の近辺に配置することができる。【００７１】
図１３は、本発明に係る情報表示システム１に含まれる情報表示装置３の最小構成を示すブロック図である。上述の実施例では情報表示装置３の詳細構成を図１及び図１０を参照して説明したが、情報表示装置３の最小構成は図１３に示す通りである。つまり、情報表示装置３は少なくとも表示部３０４を具備すればよい。これにより、情報表示装置３は利用者との関連度が高く、かつ、注目度が高い情報源の配信情報を仮想空間の基準位置（例えば、画面中央の位置）の近辺に表示することができる。【００７２】
上述の情報配置装置２及び情報表示装置３は、コンピュータシステムを内部に有している。上述の処理はプログラム形式でコンピュータ読取り可能な記録媒体に記憶されており、コンピュータが当該プログラムを読み出して実行する。コンピュータ読取り可能な記録媒体とは、磁気ディスク、光磁気ディスク、ＣＤ−ＲＯＭ、ＤＶＤ−ＲＯＭ、半導体メモリなどを意味する。また、コンピュータプログラムを通信回線を介してコンピュータに配信し、当該コンピュータがコンピュータプログラムを実行するようにしてもよい。尚、上述のプログラムは本発明の機能の一部を実現するものであってもよい。また、本発明の機能をコンピュータシステムにプリインストールされているプログラムとの組合せで実現するような差分ファイル（又は、差分プログラム）としてもよい。
【産業上の利用可能性】
【００７３】
本発明は、複数の情報源の配信情報を相互に関連付けて画面上に表示する情報端末に適用されるものであり、特に、利用者との関連度の強さや注目度に応じて複数のアイコンに波紋図形を付与するような波紋ユーザインタフェースを提供するものである。本発明の機能は波紋サーバや波紋アプリを搭載した情報端末により実現可能であり、携帯端末、スマートフォン、パーソナルコンピュータなどの情報端末に対して既存の情報通信ネットワークを利用して新規な波紋サービスを提供するものである。
【符号の説明】
【００７４】
１    情報表示システム
２    情報配置装置
３    情報表示装置
２０１  利用者情報受信部
２０２  利用者情報記憶部
２０３  配信情報収集部
２０４  仮想空間記憶部
２０５  記号配置部
２０６  波紋図形生成部
２０７  波紋図形配置部
２０８  波紋図形拡大部
２０９  波紋図形除去部
２１０  表示要求受信部
２１１  表示情報送信部
２１２  波紋図形打消部
２１３  波紋図形合成部
３０１  利用者情報送信部
３０２  表示要求送信部
３０３  表示情報受信部
３０４  表示部
３０５  座標指定部
ｓｃｒ１  利用者記号
ｓｃｒ２〜ｓｃｒ６  情報源記号
ｉｎｆｏ１〜ｉｎｆｏ１０  配信情報
【図１】
2014069442.tif 000003
【図２】
2014069442.tif 000004
【図３】
2014069442.tif 000005
【図４】
2014069442.tif 000006
【図５】
2014069442.tif 000007
【図６】
2014069442.tif 000008
【図７】
2014069442.tif 000009
【図８】
2014069442.tif 000010
【図９】
2014069442.tif 000011
【図１０】
2014069442.tif 000012
【図１１】
2014069442.tif 000013
【図１２】
2014069442.tif 000014
【図１３】
2014069442.tif 000015
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
情報配信サービスによる情報源の配信情報を仮想空間に配置する情報配置装置であって、
情報源の配信情報に関連付けて当該情報源の注目度に応じて単調増加する大きさの波紋図形を生成する波紋図形生成部と、
波紋図形を仮想空間に配置するに際して仮想空間の基準位置から利用者と情報源との関係の強さに応じて単調減少する距離だけ離れた位置に当該波紋図形の重心を配置する波紋図形配置部と、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させる波紋図形拡大部と
を具備する情報配置装置。
【請求項２】
仮想空間に情報源を示す記号を配置するに際して利用者と当該情報源との関係に基づいて定められる位置に当該情報源の記号を配置する記号配置部を更に具備し、
前記波紋図形配置部は情報源の配信情報に関連付けられた波紋図形の重心を仮想空間内において当該情報源の記号の位置に配置するようにした請求項１記載の情報配置装置。
【請求項３】
仮想空間内に配置される波紋図形について、当該波紋図形に関連付けられた情報源の注目度が閾値以上であった時間の長さに対して単調増加する除去時間が経過したときに、当該波紋図形を仮想空間から除去する波紋図形除去部を更に具備した請求項１記載の情報配置装置。
【請求項４】
前記波紋図形生成部は、波紋図形として、利用者と情報源との関係の強さに応じて単調増加する数の頂点を有し、かつ、当該情報源の注目度に応じて単調増加する大きさの円又は球に内接する正多角形又は正多面体を生成するようにした請求項１記載の情報配置装置。
【請求項５】
前記波紋図形配置部は、波紋図形としての正多角形又は正多面体に内接する円又は球に接する１つの点から仮想空間の基準位置までの距離が最小となる角度で当該波紋図形を配置するようにした請求項４記載の情報配置装置。
【請求項６】
前記波紋図形配置部は、波紋図形としての正多角形又は正多面体を乱数に基づいて決定した角度で仮想空間内に配置するようにした請求項４記載の情報配置装置。
【請求項７】
互いに重複する複数の波紋図形について、当該複数の波紋図形の重心と仮想空間の基準位置とを結ぶ直線同士がなす角度が所定角度以上である場合に、当該複数の波紋図形のうち少なくとも１つの波紋図形を仮想空間から除去する波紋図形打消部を更に具備した請求項４記載の情報配置装置。
【請求項８】
互いに重複する複数の波紋図形について、当該複数の波紋図形の重心と仮想空間の基準位置とを結ぶ直線同士がなす角度が所定角度以下であって、かつ、当該複数の波紋図形に関連付けられた情報源の配信情報が相互に類似する場合に、当該複数の波紋図形を合成して各波紋図形の大きさより大なる大きさを有する合成波紋図形を生成する波紋図形合成部を更に具備した請求項４記載の情報配置装置。
【請求項９】
前記波紋図形生成部は、情報源の属性に応じた形状の波紋図形を生成するようにした請求項１記載の情報配置装置。
【請求項１０】
前記波紋図形生成部は、情報源の属性に応じた色の波紋図形を生成するようにした請求項１記載の情報配置装置。
【請求項１１】
前記波紋図形生成部は、利用者と情報源との関係の強さに応じた色の波紋図形を生成するようにした請求項１記載の情報配置装置。
【請求項１２】
情報配信サービスによる情報源の配信情報を仮想空間に配置する情報配置方法であって、
情報源の配信情報に関連付けて当該情報源の注目度に応じて単調増加する大きさの波紋図形を生成し、
波紋図形を仮想空間に配置するに際して仮想空間の基準位置から利用者と情報源との関係の強さに応じて単調減少する距離だけ離れた位置に当該波紋図形の重心を配置し、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させるようにした情報配置方法。
【請求項１３】
コンピュータにインストールされて情報配信サービスによる情報源の配信情報を仮想空間に配置するプログラムであって、
情報源の配信情報に関連付けて当該情報源の注目度に応じて単調増加する大きさの波紋図形を生成し、
波紋図形を仮想空間に配置するに際して仮想空間の基準位置から利用者と情報源との関係の強さに応じて単調減少する距離だけ離れた位置に当該波紋図形の重心を配置し、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させるようにしたプログラム。
【請求項１４】
情報配信サービスによる情報源の配信情報を含む表示情報を表示する情報表示装置であって、
表示情報は情報源の配信情報に関連付けて当該情報源の注目度に応じて単調増加する大きさの波紋図形を含み、仮想空間の基準位置から利用者と情報源との関係の強さに応じて単調減少する距離だけ離れた位置に当該波紋図形の重心を配置し、波紋図形を所定の大きさから当該波紋図形に関連付けられた情報源の注目度に応じて単調増加する大きさまで、単位時間当たりの当該情報源の注目度の変化率に応じて単調増加する拡大速度で拡大させて画面上に表示するようにした情報表示装置。
【請求項１５】
表示情報は、利用者と情報源との関係に基づいて定められる位置に配置された当該情報源の記号を含み、当該情報源の配信情報に関連付けられた波紋図形の重心を仮想空間内において当該情報源の記号の位置に配置して画面上に表示するようにした請求項１４記載の情報表示装置。
【請求項１６】
仮想空間の基準位置と重複する波紋図形に関連付けられた情報源の配信情報を画面上に表示するようにした請求項１４記載の情報表示装置。
【請求項１７】
利用者による画面上の座標指定を受け付けて、当該指定座標と重複する波紋図形に関連付けられた情報源の配信情報を表示するようにした請求項１４記載の情報表示装置。
【請求項１８】
情報配信サービスによる情報源の配信情報を含む表示情報を表示する情報表示方法であって、
情報源の配信情報に関連付けて当該情報源の注目度に応じて単調増加する大きさの波紋図形を生成し、
仮想空間の基準位置から利用者と情報源との関係の強さに応じて単調減少する距離だけ離れた位置に当該波紋図形の重心を配置し、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させ、
仮想空間に配置された波紋図形を含む表示情報を画面上に表示するようにした情報表示方法。
【請求項１９】
コンピュータにインストールされて情報配信サービスによる情報源の配信情報を含む表示情報を表示するプログラムであって、
情報源の配信情報に関連付けて当該情報源の注目度に応じて単調増加する大きさの波紋図形を生成し、
仮想空間の基準位置から利用者と情報源との関係の強さに応じて単調減少する距離だけ離れた位置に当該波紋図形の受信を配置し、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させ、
仮想空間に配置された波紋図形を含む表示情報を画面上に表示するようにしたプログラム。
【請求項２０】
情報配信サービスによる情報源の配信情報を仮想空間に配置して表示する情報表示システムであって、
情報源の配信情報に関連付けて当該情報源の注目度に応じて単調増加する大きさの波紋図形を生成する波紋図形生成部と、
波紋図形を仮想空間に配置するに際して仮想空間の基準位置から利用者と情報源との関係の強さに応じて単調減少する距離だけ離れた位置に当該波紋図形の重心を配置する波紋図形配置部と、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させる波紋図形拡大部と、
情報源の配信情報に関連付けた波紋図形を含む仮想空間を示す表示情報を画面上に表示する表示部とを具備する情報表示システム。
【請求項２１】
仮想空間に情報源を示す記号を配置するに際して利用者と当該情報源との関係に基づいて定められる位置に当該情報源の記号を配置する記号配置部を更に具備し、
前記波紋図形配置部は情報源の配信情報に関連付けられた波紋図形の重心を仮想空間内において当該情報源の記号の位置に配置するようにした請求項２０記載の情報表示システム。
【請求項２２】
前記表示部は、仮想空間の基準位置と重複する波紋図形に関連付けられた情報源の配信情報を画面上に表示するようにした請求項２０記載の情報表示システム。
【請求項２３】
情報配信サービスによる情報源の配信情報を仮想空間に配置して表示する情報表示方法であって、
情報源の配信情報に関連付けて当該情報源の注目度に応じて単調増加する大きさの波紋図形を生成し、
波紋図形を仮想空間に配置するに際して仮想空間の基準位置から利用者と情報源との関係の強さに応じて単調減少する距離だけ離れた位置に当該波紋図形の重心を配置し、
波紋図形を所定の大きさから当該波紋図形に関連付けられた情報源の注目度に応じて単調増加する大きさまで、単位時間当たりの当該情報源の注目度の変化率に応じて単調増加する拡大速度で拡大させ、
情報源の配信情報に関連付けた波紋図形を含む仮想空間を示す表示情報を画面上に表示するようにした情報表示方法。
【手続補正２】
【補正対象書類名】明細書
【補正対象項目名】０００８
【補正方法】変更
【補正の内容】
【０００８】
本発明の第一の実施形態は、情報配信サービスによる情報源の配信情報を仮想空間に配置する情報配置装置であって、情報源の配信情報に関連付けて当該情報源の注目度に応じて単調増加する大きさの波紋図形を生成する波紋図形生成部と、波紋図形を仮想空間に配置するに際して仮想空間の基準位置から利用者と情報源との関係の強さに応じて単調減少する距離だけ離れた位置に当該波紋図形の重心を配置する波紋図形配置部と、波紋図形を所定の大きさから当該波紋図形に関連付けられた情報源の注目度に応じて単調増加する大きさまで、単位時間当たりの当該情報源の注目度の変化率に応じて単調増加する拡大速度で拡大させる波紋図形拡大部とを具備する情報配置装置である。
【手続補正３】
【補正対象書類名】明細書
【補正対象項目名】０００９
【補正方法】変更
【補正の内容】
【０００９】
本発明の第二の実施形態は、情報配信サービスによる情報源の配信情報を含む表示情報を表示する情報表示装置である。表示情報は情報源の配信情報に関連付けて当該情報源の注目度に応じて単調増加する大きさの波紋図形を含み、当該波紋図形の重心は仮想空間の基準位置から利用者と情報源との関係の強さに応じて単調減少する距離だけ離れた位置に配置され、当該波紋図形は、所定の大きさから当該波紋図形に関連付けられた情報源の注目度に応じて単調増加する大きさまで、単位時間当たりの当該情報源の注目度の変化率に応じて単調増加する拡大速度で拡大される。情報表示装置は、情報源の配信情報及び波紋図形を配置した仮想空間を示す表示情報を画面上に表示する。
【手続補正４】
【補正対象書類名】明細書
【補正対象項目名】００１０
【補正方法】変更
【補正の内容】
【００１０】
本発明の第三の実施形態は、情報配信サービスによる情報源の配信情報を仮想空間に配置して表示する情報表示システムであって、情報源の配信情報に関連付けて当該情報源の注目度に応じて単調増加する大きさの波紋図形を生成する波紋図形生成部と、波紋図形を仮想空間に配置するに際して仮想空間の基準位置から利用者と情報源との関係の強さに応じて単調減少する距離だけ離れた位置に当該波紋図形の重心を配置する波紋図形配置部と、波紋図形を所定の大きさから当該波紋図形に関連付けられた情報源の注目度に応じて単調増加する大きさまで、単位時間当たりの当該情報源の注目度の変化率に応じて単調増加する拡大速度で拡大させる波紋図形拡大部と、情報源の配信情報に関連付けた波紋図形を含む仮想空間を示す表示情報を画面上に表示する表示部とを具備する情報表示システムである。
【国際調査報告】
2014069442.tif 000016
2014069442.tif 000017
2014069442.tif 000018
2014069442.tif 000019